(57)【要約】      （修正有）【課題】高圧水流の出水を停止した時に、噴射ノズルが水漏れを起こすのを防ぐ高圧管路放圧構造を提供する。【解決手段】バルブ１０をポンプの出水口に直接装着し、バルブ１０内に配置された組立式スライド体１１、および弾性を持つプラグ１３が入水および出水を制御し、高圧水流の出水を停止した時に、還流した高圧水流の圧力を放圧バルブ口から放圧し、バルブ１０内を低圧状態にし、噴射ノズルが水漏れを起こすのを防ぐ。また、構造が極めて簡単であるため、組立にも特別な技術を必要とせず、コストも安価である。【選択図】図１
0003127382.tif 000002
【実用新案登録請求の範囲】
【請求項１】
加圧ポンプ、および該加圧ポンプが出水時に微粒霧を発生させる噴射ノズルを備える高圧管路放圧構造であって、
中空管状のバルブに組立式スライド体を装着し、
該スライド体内部にはプラグおよびスプリングを流通孔上に装着し、
前記流通孔は前記スライド体の内部にあり、
前記プラグおよび前記スプリングは、適時に前記流通孔を閉鎖し水流の制御を行ない、
前記スライド体の入水側の一端に円錐状で硬質プラスチック製の前記プラグを装着し入水口を塞ぎ、
前記スライド体の出水側の一端には内部に貫通孔がある鎖合端塊が配置され、
前記スライド体の両端に前記パッキングを配置し、スライド移動後の水漏れを防ぎ、
前記鎖合端塊１１１の外側にスプリングを被せ、高圧水流が還流した時に、迅速に前記スライド体を入水の封鎖をする位置に戻し、
前記バルブの出水側の一端に貫通した放圧バルブ口が配置され、内部には低圧力のスプリングによりプラグを押し込め、放圧口の閉鎖を形成し、出水が止まり、高圧水流が還流した時に、迅速に放圧口から放圧し低圧状態にし、使用の安全性を確保することを特徴とする高圧管路放圧構造。
【請求項２】
前記バルブ内にある貫通した前記流通孔は、T字状を呈していることを特徴とする請求項１に記載の高圧管路放圧構造。
【請求項３】
前記バルブは、前記ポンプの出水口に装着することを特徴とする請求項１に記載の高圧管路放圧構造。
【請求項４】
前記バルブ内で封鎖されている前記プラグは、溝を有することを特徴とする請求項１に記載の高圧管路放圧構造。
【考案の詳細な説明】
【技術分野】
【０００１】
本考案は、高圧管路放圧構造に関し、特に霧発生装置に用いられる高圧管路放圧構造に関する。
【背景技術】
【０００２】
一般の微粒霧発生装置は、高圧をかけて、噴射ノズルから霧を噴射する。
高圧噴射の操作中に、霧の噴射を停止すると、末端で水が止まり、管内の高圧は放圧されない。高圧ポンプは加圧を停止しているのだが、管内において内圧が充満し、霧の噴射を停止してからも、噴射ノズルから水漏れが起きることが多かった。管内における内圧の充満はポンプの管路の放圧後において、ようやく水漏れが収まる。
このような状況は、霧発生装置の使用において、大きな欠点である。ポンプが加圧していない時でも、ふつう水道の水圧は７kgf/ｃｍ２で、噴射ノズルの圧力値には達していないが、噴射ノズルから水漏れが起きることが多かった。ポンプ停止後の水漏れを防ぐため、入水管および出水管上に対応する電磁弁、タイマなどの装置を装着し、放圧を行なうこと、およびオフされた後の内圧が水漏れを起こすのを防ぐことにより、使用上の安全性および衛生管理を確保した。
しかし、装置の装着は、構造上の装置の増加と不便をもたらし、さらに組立コストおよび材料の増加を招いた。コストおよび構造の設計において、かねてから業界では解決が困難な問題であると考えられてきた。霧発生装置の使用が頻繁になり、様々な場所で使用されるにともない、いかに装置を増やさずに、構造を簡単にし、組立コストを下げるかが重要になり、効果的に従来の管路構造を改良することにより、残圧が使用上の便利さおよび安全性を妨げないようにする。従来の霧発生装置の管路の放圧構造の設計において、さらなる改良が必要である。
【特許文献１】特開平８−１７３８６３号公報
【考案の開示】
【考案が解決しようとする課題】
【０００３】
本考案の目的は、高圧水流の出水を停止した時に、噴射ノズルが水漏れを起こすのを防ぐ高圧管路放圧構造を提供することにある。
【課題を解決するための手段】
【０００４】
上述の目的を達成するために、本考案は、圧管路放圧構造を提供する。
本考案の圧管路放圧構造は、バルブをポンプの出水口に直接装着し、バルブ内に配置された組立式スライド体、および弾性を持つプラグが入水および出水を制御し、高圧水流の出水を停止した時に、還流した高圧水流の圧力を放圧バルブ口から放圧し、バルブ内を低圧状態にし、噴射ノズルが水漏れを起こすのを防ぐことができる。
【０００５】
すなわち、本考案の高圧管路放圧構造は、請求項１に記載するように、
加圧ポンプ、および該加圧ポンプが出水時に微粒霧を発生させる噴射ノズルを備える高圧管路放圧構造であって、中空管状のバルブに組立式スライド体を装着し、該スライド体内部にはプラグおよびスプリングを流通孔上に装着し、前記流通孔は前記スライド体の内部にあり、前記プラグおよび前記スプリングは、適時に前記流通孔を閉鎖し水流の制御を行ない、前記スライド体の入水側の一端に円錐状で硬質プラスチック製の前記プラグを装着し入水口を塞ぎ、前記スライド体の出水側の一端には内部に貫通孔がある鎖合端塊が配置され、前記スライド体の両端に前記パッキングを配置し、スライド移動後の水漏れを防ぎ、前記鎖合端塊１１１の外側にスプリングを被せ、高圧水流が還流した時に、迅速に前記スライド体を入水の封鎖をする位置に戻し、前記バルブの出水側の一端に貫通した放圧バルブ口が配置され、内部には低圧力のスプリングによりプラグを押し込め、放圧口の閉鎖を形成し、出水が止まり、高圧水流が還流した時に、迅速に放圧口から放圧し低圧状態にし、使用の安全性を確保することを特徴とする。
【０００６】
前記バルブ内にある貫通した前記流通孔は、T字状を呈していることを特徴とする。
また、前記バルブは、前記ポンプの出水口に装着することを特徴とする。
さらに、前記バルブ内で封鎖されている前記プラグは、溝を有することを特徴とする。
【考案の効果】
【０００７】
上述したことからわかるように、本考案の高圧管路放圧構造は、高圧水流の出水を停止した時に、還流した高圧水流の圧力を放圧バルブ口から放圧し、バルブ内を低圧状態にし、噴射ノズルが水漏れを起こすのを防ぐことができる。また、高圧管路放圧構造は、構造が極めて簡単であるため、組立にも特別な技術を必要とせず、コストも安価である。
【考案を実施するための最良の形態】
【０００８】
以下、本考案の実施形態を図面に基づいて説明する。
図１は本考案の一実施形態による放圧部を示す斜視図である。図２は本考案の一実施形態による放圧部を示す斜視図である。図３は本考案の一実施形態による放圧座（閉鎖状態）を示す断面図である。図４は本考案の一実施形態による放圧座の入水および出水の流動状態を示す断面図である。図５は本考案の一実施形態による還流した高圧水流の水圧が放圧される状態を示す断面図である。
本考案の放圧構造は、中空管状のバルブ１０にまず組立式スライド体１１を装着し、次にスライド体１１内部にはプラグ１３およびスプリング１４を流通孔１２上に装着する。
流通孔１２はT字状を呈しスライド体１１の内部にある。プラグ１３およびスプリング１４は、適時に流通孔１２を閉鎖し、水流の制御を行なう。スライド体１１の入水側の一端に円錐状で硬質プラスチック製のプラグ１５を装着し、入水口を塞ぐ。スライド体１１の出水側の一端には鎖合端塊１１１があり、内部には貫通孔１１２があり、スライド体１１と内部で繋がり一体となり、出水の通路を形成する。
スライド体１１がスライド移動する時に、水流の流動を制御することができるように、スライド体１１の両端にパッキング１６を配置しスライド移動後の水漏れを防ぐ。入水および出水時のスライド移動が迅速に行なわれるように、鎖合端塊１１１の外側にスプリング１７を被せる。スプリング１７の役割は、出水が止まり、高圧水流が還流した時に、迅速にスライド体１１を入水の封鎖をする位置に戻し、同時にポンプが加圧するのを止める。
機械がオフされた時、スプリング１７は即時に水道の中圧または低圧の水流が入水するのを防ぎ、管路が低圧で、噴射ノズルの出口が水漏れしない状態を確保する。バルブ１０の出水側の一端に貫通した放圧バルブ口が配置され、その内部には低圧力のスプリング２１が配置され、放圧口の閉鎖をつかさどるプラグ２２を押し込める。
【０００９】
高圧噴霧管路の装着は、本考案のバルブ１０をポンプの出水口に直接装着することがポイントである。バルブ１０内の還流した高圧水流が入水を止めると、ポンプの加圧操作が中止され、全システムの安全性が確保される。
使用時においては、高圧水流がポンプからバルブ１０内に入れられると、まず高圧水流はスライド体１１全体をバルブ１０の底部押し込み、鎖合端塊１１１の円錐面とバルブ１０内部とを結合させ密閉状態にする。高圧水流はバルブ１０の中空部に流れ込み、続けてスライド体１１の流通孔１２から流れ込み、バルブ１０内部を閉鎖しているプラグ１３を押し開け、水流をプラグ１３の表面の溝１３１を通して迅速に噴射ノズルに連結する管路に流れ込み、最後に各噴射ノズルにより噴霧されるという完全な高圧噴霧システムが形成される。噴霧が停止されると、高圧水流はバルブ１０内に還流するが、その後、バルブ１０の内圧が上昇し、鎖合端塊１１１の外側にあるスプリング１７の弾性が迅速にスライド体１１を入水側の一端に押し込み、同時に入水口を封鎖し、ポンプの出水操作をオフにする。還流した高圧水流は、閉鎖しているプラグ２２を押し上げ、バルブ１０の側面に配置された放圧バルブ口により内部の高圧を迅速に放圧する。
プラグ２２を押し上げる圧力は主にスプリング２１によるもので、その圧力値は常に低めに設定されており、一般的に約２kgf/ｃｍ２ぐらいで、還流した高圧水流が放圧されて、設定されている圧力になった時、自動的にプラグ２２が封鎖され、バルブ１０全体の圧力も低圧の状態で維持され、全システムの送水管路の内圧は極めて低く維持され、噴射ノズルが水漏れを起こすことはなくなる。再び入水が行なわれると、バルブ１０内部は既に低圧状態にあるため、迅速に加圧を行ない噴霧操作ができ、水流がバルブ１０内部を満たし加圧する時間を必要としない。
【図面の簡単な説明】
【００１０】
【図１】本考案の一実施形態による放圧部を示す斜視図である。
【図２】本考案の一実施形態による放圧部を示す斜視図である。
【図３】本考案の一実施形態による放圧座（閉鎖状態）を示す断面図である。
【図４】本考案の一実施形態による放圧座の入水および出水の流動状態を示す断面図である。
【図５】本考案の一実施形態による還流した高圧水流の水圧が放圧される状態を示す断面図である。
【符号の説明】
【００１１】
１０  バルブ
１１  スライド体
１１１  鎖合端塊 
１１２  貫通孔 
１２  流通孔 
１３  プラグ
１３１  溝 
１４  スプリング
１５  プラグ
１６  パッキング
１７  スプリング
２０  放圧バルブ口
２１  スプリング 
２２  プラグ
【図１】
0003127382.tif 000003
【図２】
0003127382.tif 000004
【図３】
0003127382.tif 000005
【図４】
0003127382.tif 000006
【図５】
0003127382.tif 000007